(57)【要約】【課題】本考案は車椅子の移動装置であり、フレーム、昇降ユニット、移送ユニットで構成されていて、使用者が車椅子に乗ったまま、移動が便利になる。【解決手段】車椅子のフレームには輪があり、輪の間でサポーターを付け、前方の底には補助輪があり、サポーターの後方に昇降ユニットがつけられている。昇降ユニットには移動用パーツがあり、気圧シリンダーや液圧シリンダーなどで上昇、下降ができ、移動パーツの上方にシートがあり、シートは上下に分けられ、上の部分にはストッパーがあり、その下に移動ユニットを付けている。移動ユニットは定位座があり、定位座の両側に軌道レバーがあり、軌道レバーの側辺はシートの下の部分に固定されている。ベッドや椅子の上に置けば、シートの上の部分が軌道レバーの上ですべることができ、座っている者はシートの上部分と一緒に床や椅子の上に移動することができる。【選択図】図１
0003147446.tif 000002
【実用新案登録請求の範囲】
【請求項１】
ユーザーが移動するのに便利なように、ベースフレーム、昇降ユニット、移動ユニットから構成された車椅子の移動装置であって、
ベースフレームの両側には回転車輪を具備し、回転車輪の間には支持構造を設置し、前方底部には補助輪を具備し、支持構造の後方には昇降調整可能な手押しレバーを取り付け、
昇降ユニットはベースフレームの2つの回転車輪の間に設置され、スライドして上昇或いは下降が可能な移動部材を取り付け、移動部材の上方にはクッションを設け、クッションは上と下の台座を形成して上の台座の一側にはストッパー部を具備し、
移動ユニットは上の台座の底部に設置し、位置決め台座を具備して、位置決め台座の両側にレールバーを連接し、レールバーの側辺を下の台座内に固設して、スライドして引いて伸縮させることができ、上の台座をレールバー上にスライドさせて移動させることを特徴とする車椅子の移動装置。
【請求項２】
ベースフレームは支持構造の手押しレバーの中間位置にあり、手押しレバーの上昇や下降調整可能なレバーのスイッチを取り付けることを特徴とする請求項１に記載する車椅子の移動装置。
【請求項３】
昇降ユニットは空気圧シリンダー、水圧シリンダー又は昇降ねじ棒、ギア駆動のラック等の昇降移動可能な昇降ユニットや移動部材であることを特徴とする請求項１に記載する車椅子の移動装置。
【考案の詳細な説明】
【技術分野】
【０００１】
本考案は車椅子の移動装置で、フレーム昇降ユニット、移送ユニットで構成されていて、使用者は他人の助けを借りずに車椅子に乗ることができ、時間と人力を節約できる。
【背景技術】
【０００２】
人は食べ物と水、空気で命を維持し、様々な苦痛に遭遇することもある。病気や怪我、年をとるなどによって引き起こされる行動の不便を解決するために、車椅子が発明された。車椅子は便利で使用量も多いが、昼間でしかも意識が明確なときにしか使えず、夜になって眠るときは他の空間が大きい場所、ベッド、家用椅子、ソファーなどで休まないとならない。
【考案の開示】
【考案が解決しようとする課題】
【０００３】
しかし車椅子でベッドやソファーに移動するときは、他人の助けが必要か、ステッキなどのサポートツールを使用しなければならない。移動中は、いろいろな障害物を避けなければならなく、行動する時は非常に力を入れなければならないから、怪我の可能性も高い。
【０００４】
こういったように、現在の車椅子の使用者は、いろんな不便を我慢しなければならない。こういった車椅子の欠点の改良こそ、本考案人の目標と方向性である。
【０００５】
開発、試作、そしてテスト、改良を経て、車椅子の利用が便利になる本移送装置を開発することができた。
【課題を解決するための手段】
【０００６】
本考案の主な目的は：本考案は車椅子の移動装置であり、フレーム、昇降ユニット、移送ユニットで構成されていて、使用者が車椅子に乗ったまま、移動が便利になる。車椅子のフレームには輪があり、輪の間でサポーターを付け、前方の底には補助輪があり、サポーターの後方に昇降ユニットがつけられている。昇降ユニットには移動用パーツがあり、気圧シリンダーや液圧シリンダーなどで上昇、降下ができ、移動パーツの上方にシートがあり、シートは上下に分けられ、上の部分にはストッパーがあり、その下に移動ユニットを付けている。移動ユニットは定位座があり、定位座の両側に軌道レバーがあり、軌道レバーの側辺はシートの下の部分に固定されている。ベッドや椅子の上に置けば、シートの上の部分が軌道レバーの上ですべることができ、座っている者はシートの上部分と一緒に床や椅子の上に移動することができる。
【０００７】
前に述べた例と使い方はデモンストレーションと説明上の必要があり述べたもので、本考案が主張する特許の申し込み範囲の制限にはならない。
【考案の効果】
【０００８】
本考案を使えば、車椅子の使用者は移動が便利になり、他人の力を借りず、ステッキなどの補助器材なしで車椅子から移動でき、時間と力を節約できる。
【考案を実施するための最良の形態】
【０００９】
〔実施例〕
本考案の例と使い方を図と一緒に説明する。図のなかの番号は同じか類似する部分を示す。
【００１０】
図１，２，３，４，５のとおり、本考案はフレーム１、昇降ユニット２、移送ユニット３の三部分で構成されている：
フレーム１の両側に輪１１があり、輪１１の間にサポーター１２がある。サポーター１２の前方の底にはサポート輪１２１があり、サポーター１２の後方にハンドレバー１３を調整するレバースイッチ１３１がある。
【００１１】
昇降ユニット２はフレーム１の輪１１の間にあり、輪１１の間にあるサポーター１２の中央に置かれ、底にはコントロールバルブ２１があり、足で踏むか押すことでコントロールバルブ２１を操縦し、移動パーツ２２を駆動し上昇、下降ができる。移動パーツ２２の上方にはシート２３があり、シート２３は上、下部分の２３１、２３２の二つの部分にわけられている。上の部分の２３１にはストッパー２３３がある。
【００１２】
移送ユニット３はシートの上部分２３１の底に設置され、定位座３１があり、その横には軌道レバー３２がある。軌道レバー３２の側辺はシートの下部分２３２に固定され、引き伸ばしができ、それで上座体２３１が軌道レバー３２上で滑ることができる。
【００１３】
上で述べたフレーム１、昇降ユニット２、移送ユニット３で構成された車椅子移送装置は、使用者を快適にシート２３の上で移動させることができる。昇降ユニット２と移動パーツ２２は気圧シリンダー、液圧シリンダー、昇降ねじ、歯車などで昇降移動ができる。
【００１４】
本考案を使用して乗っているものをベッドに移動させるとき、以下の手順で進行する：
（１）ハンドレバー１３で車椅子を床４に移動させ、レバースイッチ１３１を操縦し、ハンドレバー１３をベッドぶち４１の下方に移動させる（図１，２，３，４の通り）。
【００１５】
（２）足で昇降ユニット２の底にあるコントロールバルブ２１を踏み、移動パーツ２２を駆動しシート２３を上にあげ、ベッドの表面４２と同じ高さにする（図４，５の通り）。
【００１６】
（３）シート２３の下部分２３２の底にある移動装置３を使い、定位座３１を引きずり出し、ベッド表面４２に置き、軌道レバー３２を使い定位座３１とシート３２の下部分２３２を連結させる（図５の通り）。
【００１７】
（４）シート３２の上部分３２１を軌道レバー３２の定位座３１に移動させる（図５の通り）。
【００１８】
（５）シート上部分３２１をベッドの表面４２に移動させれば、使用者はベッド４に移動できる（図５，６の通り）
（６）シート上部分３２１を下部分３２２の上方に押し戻し、移送ユニット３の定位座３１、軌道レバー３２を下部分３２２の底に押し戻す（図４，５の通り）
（７）昇降ユニット２の底にあるコントロールバルブ２１を再度踏み、移動パーツ２２を駆動させシート２３を下降させ、シート２３をベッド表面４２から離れさせる（図４，５の通り）。
【００１９】
（８）ハンドレバー１３のレバースイッチ１３１を動かし、ハンドレバー１３を元の高度に戻す（図３，４の通り）。
【００２０】
（９）元の車椅子の構造に戻す（図１，２の通り）
本考案を使えば、車椅子の使用者は移動が便利になり、他人の力を借りず、ステッキなどの補助器材なしで車椅子から移動でき、時間と力を節約できる。
【００２１】
同業者ならば本考案の設計理念を離れない状況下で上に述べた例を改良することができる事が分かる筈。だから本考案は上に述べた特定の例だけではなく、特許申し込み範囲内の本考案の精神の範囲以内での変更も含む。
【００２２】
その他、説明書は本考案の代表的範例の使い方の手順を記入している。ただ、使用の手順は説明書の通りだけではない。同業者ならば、違う手順でも使用可能だとわかる。これゆえに、説明書に書かれた操作手順は特許申し込み範囲の制限と見てはならない。そのほかに、本操作方法/過程の特許申し込み範囲は説明書に書かれた手順に限られない。同業者ならば、手順の変化は簡単だから、変化は本考案の精神の範囲内にある。
【図面の簡単な説明】
【００２３】
付属してある図を説明文と一緒に読めば、本考案の〔発明内容〕と〔使用方法〕が理解しやすくなる。本考案の目的を説明するために、図中に現在最もいい使用法を展示してある。しかし、本考案は図中の使用法に限られてはいない。
【図１】本考案の立体図（１）。
【図２】本考案の立体図（２）。
【図３】本考案の使用範例図（１）。
【図４】本考案の使用範例図（２）。
【図５】本考案の使用範例図（３）。
【図６】本考案の使用範例図（４）。
【符号の説明】
【００２４】
１      フレーム
１１    輪
１２    サポーター
１３    ハンドレバー
１３１  レバースイッチ
２      昇降ユニット
２１    コントロールバルブ
２２    移動パーツ
２３    シート
２３１  シートの上部分
２３２  シートの下部分
２３３  ストッパー
３      移送ユニット
３１    定位座
３２    軌道レバー
４      ベッド
４１    ベッドふち
４２    ベッドの表面
【図１】
0003147446.tif 000003
【図２】
0003147446.tif 000004
【図３】
0003147446.tif 000005
【図４】
0003147446.tif 000006
【図５】
0003147446.tif 000007
【図６】
0003147446.tif 000008